(57)【要約】【課題】ヘルメットの重量を増加することなく、耐衝撃部材の着脱を容易にしたヘルメットを提供することである。【解決手段】ヘルメット本体、該本体外面に付設されるカバーと、前記カバーに耐衝撃部材とを具備するヘルメットであって、前記耐衝撃部材は前記カバーの外周面に取付けられることを特徴とし、前記カバーは前記耐衝撃部材を取付ける固定部材を有し、前記固定部材は、少なくとも２個以上設置されること、及び前記耐衝撃部材は、前記固定部材に着脱自在に取付けられるものであることが好ましい。【選択図】  図１
2007119954.tif 000002
【特許請求の範囲】
【請求項１】
ヘルメット本体、該本体外面に付設されるカバーと、前記カバーに耐衝撃部材とを具備するヘルメットであって、前記耐衝撃部材は前記カバーの外周面に取付けられることを特徴とするヘルメット。
【請求項２】
前記カバーは前記耐衝撃部材を取付ける固定部材を有するものである請求項１に記載のヘルメット。
【請求項３】
前記固定部材は、少なくとも２個以上設置されるものである請求項１又は２に記載のヘルメット。
【請求項４】
前記耐衝撃部材は、前記固定部材に着脱自在に取付けられるものである請求項１〜３のいずれかに記載のヘルメット。
【請求項５】
前記耐衝撃部材は、収納袋に収納されて前記固定部材に取付けられるものである請求項１〜４のいずれかに記載のヘルメット。
【請求項６】
前記耐衝撃部材は、セラミック及びＦＲＰを含むものである請求項１〜５のいずれかに記載のヘルメット。
【発明の詳細な説明】
【技術分野】
【０００１】
本発明は、ヘルメットに関する。
【背景技術】
【０００２】
セラミック単体が飛翔体の衝突時に、飛翔体の持つ運動エネルギーを大きく低減させることが知られており、先進複合材料（ＡＣＭと呼称する）からなるヘルメットにセラミックを主な素材とした耐衝撃部材を固定した耐衝撃性ヘルメットに関する技術が開示されている（例えば、特許文献１参照）。
しかし、耐衝撃部材がヘルメットと一体となっているため、外部状況に応じて耐衝撃部材を着脱できず、状況に適したヘルメットをその都度選択する必要があり、装備の重複化が避けられず、改善が求められている。耐衝撃部材の固定方法の面でも、接着やボルト、リベット等による機械的な固定方法があるが、外部状況の変化に合わせ着脱することが困難で装備の重複化は避けがたい状況にある。また、いずれの方法もヘルメット本体への穴あけ加工等が必要となり、強度面での不具合が想定されること、すでに使用しているヘルメットにそのまま装着することができないことなどの欠点がある。
【０００３】
飛翔体の運動エネルギーを受ける際、ヘルメットに耐衝撃部材が固定されていと衝撃力は膨大であり、頭部への致命的な衝撃となる可能性が高いことは容易に想定される。運動エネルギーを低減するには耐衝撃部材が衝撃を受けた際、破壊と共に装着したヘルメットの位置から若干でも移動できる構造になっていることが望ましく、接着や機械的な固定では衝撃を直接受けることになり、ヘルメット着用者への身体的負担が著しく大きなものとなる。
このような問題を解決するため、ヘルメット外部を覆うカバーの内面に耐衝撃部材を内包させた方法が開示されている（例えば、特許文献２参照）が更なる改良が望まれている。
【０００４】
【特許文献１】特開平１０−２９８８１７号公報
【特許文献２】特開２００２−２９４５１２号公報
【発明の開示】
【発明が解決しようとする課題】
【０００５】
本発明は、耐衝撃部材の着脱を容易にしたヘルメットを提供することである。
【課題を解決するための手段】
【０００６】
このような課題は、下記の本発明（１）〜（６）によって達成される。
（１）ヘルメット本体、該本体外面に付設されるカバーと、前記カバーに耐衝撃部材とを具備するヘルメットであって、前記耐衝撃部材は前記カバーの外周面に取付けられることを特徴とするヘルメット。
（２）前記カバーは前記耐衝撃部材を取付ける固定部材を有するものである（１）に記載のヘルメット。
（３）前記固定部材は、少なくとも２個以上設置されるものである（１）又は（２）に記載のヘルメット。
（４）前記耐衝撃部材は、前記固定部材に着脱自在に取付けられるものである（１）〜（３）のいずれかに記載のヘルメット。
（５）前記耐衝撃部材は、収納袋に収納されて前記固定部材に取付けられるものである（１）〜（４）のいずれかに記載のヘルメット。
（６）前記耐衝撃部材は、セラミック及びＦＲＰを含むものである（１）〜（５）のいずれかに記載のヘルメット。
【発明の効果】
【０００７】
本発明により、ヘルメットへの耐衝撃部材の着脱を容易に行うことが可能となり、従来のヘルメットにも対応できるため二重装備化が回避できる。さらに、耐衝撃部材を取り付けられる固定部材を有するカバーを用いることにより、更に耐衝撃部材の着脱が容易となる。
【発明を実施するための最良の形態】
【０００８】
本発明は、ヘルメット本体、該本体外面に付設されるカバーと、前記カバーに耐衝撃部材とを具備するヘルメットであって、前記耐衝撃部材は前記カバーの外周面に取付けられることを特徴とする。こうすることによって、容易に耐衝撃部材を着脱することができる。
【０００９】
本発明のヘルメット本体外面に付設されるカバーは、ヘルメット本体の外面形状に合った形状であることが望ましい。外面形状に合っていないとカバーに耐衝撃部材を取り付けたときに緩みが生じ、しっかりと取り付けることができなくなる場合がある。また、その材質は特に規定するものではないが、ナイロン等の繊維織布を用いると軽くできることから好ましい。
【００１０】
本発明のヘルメットに用いられるカバーは、耐衝撃部材を取り付ける固定部材を有することが好ましい。
上記固定部材は、ヘルメット本体の外面形状に合った形状であることが望ましい。外面形状に合っていないとカバーに耐衝撃部材を取り付けたときにヘルメット本体との間に隙間が生じ、がたつきの原因となる。また、その材質や厚さは特に規定するものではないが、耐衝撃部材を取り付けたときの重量に耐えられる材質、厚さを選択すればよく、例えばナイロン等の繊維織布を用いると軽くできるため好ましい。
【００１１】
上記固定部材は、少なくとも２個以上設置することが好ましい。２個以上設置することで特にヘルメットに装着した時に重量バランスがよく装着できる。
【００１２】
本発明に用いられる耐衝撃部材は、上記固定部材に着脱自在に取り付けられることが好ましい。更に、上記耐衝撃部材は、収納袋に収納されて上記固定部材に取り付けられることが好ましい。上記固定部材に収納袋に収納された耐衝撃部材を取り付けることで、容易に耐衝撃部材を取り外すことでき、また、必要時に装着することができる。
【００１３】
この収納袋は、耐衝撃部材の形状のピッタリ合っていることが望ましく、形状が合っていないと、ヘルメットに装着した時に耐衝撃部材がぐらつき易くなる。また、その材質は特に規定するものではないが、ナイロン等の繊維織布を用いると軽くできるため好ましい。
【００１４】
上記耐衝撃部材は、セラミック及びＦＲＰを含むものが好ましい。これらを含むことで、軽量ながら耐弾性能を向上させることができる。
【００１５】
上記セラミックは、主としてファインセラミックスと呼ばれているもので、主成分としては例えば、アルミナ（純度９０〜９９．９％）系、窒化珪素系、炭化珪素系、ジルコニア系、炭化ホウ素等が挙げられる。耐弾性能の点から、アルミナ、炭化珪素、窒化珪素、炭化ホウ素の中から選ばれた一種以上を好適に用いることができる。
セラミックの形状は、前及び後頭部の耐衝撃部材がそれぞれ１枚のセラミック板で構成されていても良いが、多角形のタイル状に加工されたセラミック片を並べた多面形であっても差し支えない。
セラミックスの物性としては、ビッカース硬度１０００ｋｇ／ｍｍ2以上、曲げ強さ３０ｋｇｆ／ｍｍ2以上、弾性率２．８×１０4ｋｇｆ／ｍｍ2以上が好ましい。
【００１６】
上記ＦＲＰは、高強度繊維を樹脂で固めたもので、高強度繊維は例えば、ガラス繊維、炭素繊維、アラミド繊維、高強度ポリエチレン繊維等が挙げられる。耐弾性能の点から、アラミド繊維、高強度ポリエチレン繊維を単独もしくは組み合わせて用いるとよく、上記セラミックと貼り合わせて用いることで更に耐弾性能を上げることができる。
【００１７】
本発明に用いられる耐衝撃部材の具体的な固定方法は、例えば、ヘルメット外部を覆うカバーに固定部材を付設し、耐衝撃部材を収納した収納袋の開口部の蓋を該固定用帯に通し、面ファスナー等で固定することができる。更に収納袋下部に設けた固定用テープをヘルメット本体の内面に設けた面ファスナーで固定することで、上記カバーをヘルメットから外すことなく、耐衝撃部材の着脱を可能にし、取付けたときもしっかりと固定することが可能となる。カバー及び収納袋の材質、色調に関しては本発明を制限する要因はない。
【００１８】
本発明のヘルメット本体の材質は特に限定されないが、高速飛翔体に対する耐衝撃性の点でアラミド繊維織布とフェノール系樹脂からなるＦＲＰ製であることが好ましい。
【実施例】
【００１９】
以下、本発明を図に従って具体的に説明する。
図１は耐衝撃部材（４）をヘルメット本体（１）に取付ける方法の模式断面図であり、図２はヘルメット本体（１）に被せるカバー（５）であり、図３は収納袋（３）である。
収納袋（３）に装入された耐衝撃部材（４）は、収納袋（３）の開口部を塞ぐ蓋部分が固定用帯（５）とカバー（２）との間を通して閉じることにより、固定用帯（５）に引っ掛けられる。
同時に固定用帯（５）の裏面とカバー（２）表面に取り付けられた面ファスナーが、収納袋（３）の蓋部分の面ファスナーと貼合わさることで固定される。
更に、収納袋（３）下部に取り付けられた固定用テープ（６）にが、ヘルメット本体（１）の裏面に取り付けられた面ファスナーと貼合わさることで耐衝撃部材（４）下端部を固定する。
耐衝撃部材（４）を取り外すときは、逆の手順でカバー（２）をヘルメット本体（１）から取り外すことなく容易に取り外すことが出来る。
【図面の簡単な説明】
【００２０】
【図１】耐衝撃部材装着方法の模式断面図
【図２】カバー外観図
【図３】収納袋概略図
【符号の説明】
【００２１】
（１）：ヘルメット本体
（２）：カバー
（３）：収納袋
（４）：耐衝撃部材
（５）：固定部材
（６）：固定用テープ
（７）：面ファスナー
【図１】
2007119954.tif 000003
【図２】
2007119954.tif 000004
【図３】
2007119954.tif 000005